(57)【要約】【課題】  体格の大型化が抑制される画像入出力装置を提供する。【解決手段】  画像データを印刷する印刷部と、前記印刷部を収容しているプリンタハウジングと、前記プリンタハウジングの上方に設けられ、原稿台を支持し、回転軸を中心に前記プリンタハウジングと揺動可能なスキャナハウジングと、走査回路を搭載し、前記スキャナハウジングの内部を前記原稿台の盤面と平行な副走査方向へ往復移動するキャリッジと、前記キャリッジを副走査方向へ駆動する駆動部と、前記キャリッジの主走査方向の一方の端部側において前記プリンタハウジングに設けられ、前記印刷部に印刷媒体を供給する供給部と、前記供給部と隣接する位置において、前記スキャナハウジングの前記キャリッジよりも主走査方向外側かつ前記回転軸側に設けられ、前記駆動部の一部または全部を収容する中空の略円筒状の突出部と、を備えることを特徴とする画像入出力装置。【選択図】  図１
2005079791.tif 000002
【特許請求の範囲】
【請求項１】
画像データを印刷する印刷部と、
前記印刷部を収容しているプリンタハウジングと、
前記プリンタハウジングの上方に設けられ、原稿台を支持し、回転軸を中心に前記プリンタハウジングと揺動可能なスキャナハウジングと、
走査回路を搭載し、前記スキャナハウジングの内部を前記原稿台の盤面と平行な副走査方向へ往復移動するキャリッジと、
前記キャリッジを副走査方向へ駆動する駆動部と、
前記キャリッジの主走査方向の一方の端部側において前記プリンタハウジングに設けられ、前記印刷部に印刷媒体を供給する供給部と、
前記供給部と隣接する位置において、前記スキャナハウジングの前記キャリッジよりも主走査方向外側かつ前記回転軸側に設けられ、前記駆動部の一部または全部を収容する中空の略円筒状の突出部と、
を備えることを特徴とする画像入出力装置。
【請求項２】
前記突出部は、前記プリンタハウジング側へ突出し、前記プリンタハウジングに設けられている略円筒状に窪んだ収容部に収容されていることを特徴とする請求項１記載の画像入出力装置。
【請求項３】
前記突出部の中心は、前記スキャナハウジングの回転軸と概ね一致していることを特徴とする請求項１または２記載の画像入出力装置。
【発明の詳細な説明】
【技術分野】
【０００１】
本発明は、画像の読み取りおよび印刷が可能な画像入出力装置に関する。
【背景技術】
【０００２】
従来、イメージセンサを搭載したキャリッジを収容したハウジング（以下、「スキャナハウジング」という。）と、インクジェット方式のプリンタヘッドなどの印刷部を収容したハウジング（以下、「プリンタハウジング」という。）とをいわゆる二階建て構造に一体化した画像入出力装置が知られている。スキャナハウジングは、原稿が載置される原稿台を支持するため、プリンタハウジングの上方に設けられる。
【発明の開示】
【発明が解決しようとする課題】
【０００３】
しかしながら、下方にあるプリンタハウジングに収容されている印刷部における紙詰まりの処理、あるいはインク交換などを実施するため、スキャナハウジングとプリンタハウジングとは開閉可能であることが要求される。スキャナハウジングとプリンタハウジングとを開閉するためには、ヒンジなどの開閉機構が必要となる。そのため、開閉機構の設置にともなう体格の大型化を招くという問題がある。また、スキャナハウジングには、例えば走査回路基板などが収容されたキャリッジを駆動する駆動部が収容されている。駆動部は、高さ方向に所定の収容空間を必要とするため、スキャナハウジングの高さが増大する。その結果、画像入出力装置の体格の大型化を招くという問題がある。
そこで、本発明の目的は、体格の大型化が抑制される画像入出力装置を提供することにある。
【課題を解決するための手段】
【０００４】
本発明に係る画像入出力装置は、画像データを印刷する印刷部と、前記印刷部を収容しているプリンタハウジングと、前記プリンタハウジングの上方に設けられ、原稿台を支持し、回転軸を中心に前記プリンタハウジングと揺動可能なスキャナハウジングと、走査回路を搭載し、前記スキャナハウジングの内部を前記原稿台の盤面と平行な副走査方向へ往復移動するキャリッジと、前記キャリッジを副走査方向へ駆動する駆動部と、記キャリッジの主走査方向の一方の端部側において前記プリンタハウジングに設けられ、前記印刷部に印刷媒体を供給する供給部と、前記供給部と隣接する位置において、前記スキャナハウジングの前記キャリッジよりも主走査方向外側かつ前記回転軸側に設けられ、前記駆動部の一部または全部を収容する中空の略円筒状の突出部と、を備えることを特徴とする。供給部はプリンタハウジングからキャリッジの主走査方向外側に突出している。そのため、この供給部に隣接する位置に突出部を配置しても、画像入出力装置の全体の容積は大きく変化しない。したがって、画像入出力装置の体格の大型化を抑制することができる。また、突出部は中空の略円筒状に形成されているため、内部にキャリッジを駆動する駆動部の一部または全部が収容される。駆動部の一部または全部を突出部に収容することにより、スキャナハウジングは高さ方向の全長が低減される。したがって、画像入出力装置の体格の大型化を抑制することができる。
【０００５】
また、本発明に係る画像入出力装置では、突出部は、プリンタハウジング側へ突出し、前記プリンタハウジングに設けられている略円筒状に窪んだ収容部に収容されていることを特徴とする。突出部および収容部を略円筒状とすることにより、プリンタハウジングとスキャナハウジングとを開閉しても、容積が増大することがない。したがって、画像入出力装置の体格の大型化を抑制することができる。
【０００６】
さらに、本発明に係る画像入出力装置では、突出部の中心は、スキャナハウジングの回転軸と概ね一致していることを特徴とする。そのため、突出部は、スキャナハウジングとともに回転し、プリンタハウジングとスキャナハウジングとを開閉しても、容積が増大することがない。したがって、画像入出力装置の体格の大型化を抑制することができる。
【発明を実施するための最良の形態】
【０００７】
以下、本発明の実施の形態を図面に基づいて説明する。
図１は、本発明の第１実施例による画像入出力装置１０において、プリンタハウジング２０とスキャナハウジング３０とが接続されている接続部５０を拡大した断面図である。図１では、スキャナハウジング３０に収容されるキャリッジ４０の移動方向に対し垂直な断面を示している。図２は、画像入出力装置１０の外観を示す概略斜視図である。図３は、画像入出力装置１０の内部構造を示す模式図である。
【０００８】
プリンタハウジング２０には、図１および図２に示す接続部５０ならびに図２に示すヒンジ部５１によってスキャナハウジング３０が揺動可能に接続されている。図１および図３に示すように原稿台３１は、スキャナハウジング３０の上部に形成された開口を塞ぐ透明なガラス板であって、スキャナハウジング３０に固定されている。原稿台３１の盤面には原稿３２が載置される。スキャナハウジング３０に揺動可能に接続された原稿カバー３３には原稿台３１側に図示しない原稿マットが設けられている。図示しない原稿マットは、原稿台３１に載置された原稿３２を原稿台３１に押し付ける。
【０００９】
キャリッジ４０は、箱形に形成され、スキャナハウジング３０の内部に収容されている。キャリッジ４０は、スキャナハウジング３０に固定されたガイドロッド３４に往復移動可能に支持されている。キャリッジ４０は、図１に示す駆動部８０によって駆動される。キャリッジ４０は、駆動部８０によってガイドロッド３４の軸方向へ往復移動する。
【００１０】
キャリッジ４０の内部には、図３に示すようにリニアイメージセンサ４２を実装した走査回路基板４３、レンズ４４、ミラー４５および光源４６が搭載されている。光源４６は原稿３２の走査線近傍を照射し、ミラー４５およびレンズ４４は照射された原稿３２の走査線上の反射光像をリニアイメージセンサ４２の受光面に結像させる。リニアイメージセンサ４２は、ＲＧＢ各色の受光素子が図３において紙面垂直方向に直線状に並ぶ姿勢で走査回路基板４３に搭載されている。リニアイメージセンサ４２は、受光面に結像された光学像の濃淡に相関する電気信号を出力する。走査回路基板４３には、リニアイメージセンサ４２および光源４６を駆動する回路、ならびにＡＤ変換回路などが実装されている。キャリッジ４０は、図１に示す駆動部８０から伝達された駆動力により往復移動する。
【００１１】
プリンタハウジング２０は、図２に示すように上部が開口した箱形に形成され、スキャナハウジング３０の下方に位置する。プリンタハウジング２０は、スキャナハウジング３０を揺動可能に支持する。スキャナハウジング３０をプリンタハウジング２０に対し上方向へ揺動させることにより、プリンタハウジング２０の開口２１から印刷部２２が露出する。プリンタハウジング２０には、図３に示すように印刷部２２、処理部２３、図示しない電源部、ならびに図２に示す操作部２４などが収容されている。プリンタハウジング２０は、内部に収容する印刷部２２などの要素をゆとりをもって収容する大きな内部空間を形成している。
【００１２】
図４は、本発明の一実施形態による画像入出力装置１０の外観、ならびにスキャナハウジング３０に収容されている構成部品の概略を示す模式図である。プリンタハウジング２０に収容されている印刷部２２は、供給部としての用紙搬送部７０、印刷ヘッド２５および図示しない駆動部をなどを備えている。用紙搬送部７０は、トレイ７１、図示しない供給ローラ、排出ローラならびにこれらのローラを駆動する歯車列およびモータなどを有している。用紙搬送部７０は、トレイ７１を含む一部がプリンタハウジング２０よりもリニアイメージセンサ４２の主走査方向外側へ突出している。すなわち、用紙搬送部７０は、一部がプリンタハウジング２０の外側に設けられている。トレイ７１には、印刷媒体が積載される。トレイ７１に積載された印刷媒体は、図示しないモータにより歯車列を介して駆動される供給ローラおよび排出ローラにより印刷部２２へ供給、ならびに印刷部２２から排出される。印刷媒体としては、紙類、布類をはじめ、ＣＤ−ＲＯＭなどの樹脂類の媒体が適用される。
【００１３】
印刷ヘッド２５は、プリンタハウジング２０の内部に収容されている。印刷ヘッド２５は、ガイドロッド２６に往復移動可能に支持されている。印刷ヘッド２５は、図示しない駆動部によって回転するベルトに係止されている。印刷ヘッド２５は、ベルトの回転にともなってガイドロッド２６の軸線方向へ往復移動する。印刷ヘッド２５の駆動部は、ベルトが取り付けられているプーリ、歯車列およびモータなどで構成されている。
【００１４】
印刷ヘッド２５は、例えばインクを吐出するノズル、ピエゾ素子、インク通路などを備え、インクジェット方式によりインク滴を印刷媒体に定着させる。インクカートリッジ２７、２８は、印刷ヘッド２５に脱着可能に固定されている。インクカートリッジ２７、２８は、各色のインクが貯蔵された容器である。インクカートリッジ２７、２８に貯蔵されたインクは、インク通路を通じて印刷ヘッド２５のノズルに供給される。なお、印刷部２２は、インクジェット式に限らず、例えばレーザ方式など各種の印刷方式を適用することができる。
【００１５】
処理部２３は、走査回路基板４３から出力される信号にガンマ補正およびシェーディング補正などを施して画像データを作成する。また、処理部２３は、画像データにハーフトーン処理、解像度変換処理、色空間の変換処理あるいはインターレス処理などを施して印刷データを作成し、印刷データに基づいて印刷部２２を制御する。また、画像入出力装置１０が図示しないパーソナルコンピュータ（以下、「ＰＣ」という。）に制御されるイメージスキャナとして機能する場合、処理部２３で作成された画像データは、図示しないインターフェイスを通じてＰＣに出力される。また、画像入出力装置１０がＰＣに制御されるプリンタとして機能する場合、処理部２３にはＰＣからインターフェイスを通じて印刷データが入力される。スキャナハウジング３０に収容されている走査回路基板４３とプリンタハウジング２０に収容されている処理部２３とは、帯状のフレキシブルフラットケーブル（以下、「ＦＦＣ」という。）１１により電気的に接続されている。
【００１６】
以下、プリンタハウジング２０とスキャナハウジング３０との接続部５０について詳細に説明する。
プリンタハウジング２０には、図１に示すように略円筒形状の収容部５２が形成されている。収容部５２は、リニアイメージセンサ４２の撮像素子配列方向である主走査方向においてキャリッジ４０よりも外側に位置している。また、収容部５２は、図４に示すように主走査方向においてプリンタハウジング２０から外側へ突出している。収容部５２は、キャリッジ４０の往復移動方向である副走査方向においてプリンタハウジング２０に設けられている用紙搬送部７０と隣り合っている。
収容部５２は、主走査線に沿った断面が略円筒形状である。ここで、略円筒形状には、円筒形状または円弧筒形状が含まれる。本実施例の場合、収容部５２は半円筒形状に形成されている。収容部５２は、プリンタハウジング２０の上端部すなわちスキャナハウジング３０側の端部から反スキャナハウジング側へ窪んでいる。
【００１７】
プリンタハウジング２０の収容部５２には、スキャナハウジング３０の突出部６０が収容される。突出部６０は、中空の略円筒形状であり、スキャナハウジング３０からプリンタハウジング２０側すなわちプリンタハウジング２０に対し揺動するスキャナハウジング３０の回転中心側へ突出している。これにより、突出部６０は、プリンタハウジング２０のスキャナハウジング３０側の端部よりも反スキャナハウジング側へ突出している。そのため、プリンタハウジング２０にスキャナハウジング３０を取り付けたとき、突出部６０は主走査方向においてキャリッジ４０の外側に位置する。また、突出部６０は、副走査方向において用紙搬送部７０と隣り合っている。
【００１８】
中空の突出部６０には、キャリッジ４０を駆動する駆動部８０が設置されている。駆動部８０は、動力源となるモータ８１、歯車列を構成するギア８２、ギア８３およびギア８４、ならびにプーリ８５およびベルト８６を有している。モータ８１の回転軸８１１の先端には、歯車列を構成するピニオン８７が取り付けられている。ピニオン８７にはギア８２が噛み合っており、モータ８１の駆動力はギア８２、ギア８３およびギア８４により減速されてプーリ８５に保持されているベルト８６に伝達される。ベルト８６は、図１に示すようにキャリッジ４０からプリンタハウジング２０側へ突出する係止部４７に係止されている。突出部６０には、モータ８１ならびに駆動部８０を構成する部品の一部が収容されている。
【００１９】
図５は、図１に示す画像入出力装置１０において、プリンタハウジング２０に対しスキャナハウジング３０が揺動したときの接続部５０を示す断面図である。
収容部５２を形成するプリンタハウジング２０の壁部と、突出部６０を形成するスキャナハウジング３０の壁部とは、概ね同心の円筒状である。この収容部５２および突出部６０の中心は、プリンタハウジング２０に対し揺動するスキャナハウジング３０の回転中心と概ね一致する。また、収容部５２の半径は、突出部６０の半径よりもやや大きい。そのため、収容部５２と突出部６０との間には、わずかな隙間が形成される。これにより、スキャナハウジング３０は、プリンタハウジング２０に対し自由に揺動することができる。
【００２０】
収容部５２および突出部６０の中心と、スキャナハウジング３０の回転中心とが一致することにより、スキャナハウジング３０は突出部６０が収容部５２に収容された状態でプリンタハウジング２０に対し揺動する。そのため、スキャナハウジング３０がプリンタハウジング２０に対し揺動したとき、図５に示すように突出部６０は収容部５２の壁部に沿って案内され、突出部６０は収容部５２の外側にはみ出すことがない。すなわち、収容部５２および突出部６０は、スキャナハウジング３０の揺動の前後において容積がほとんど変化しない。
【００２１】
以上説明した本発明の一実施例では、駆動部８０がスキャナハウジング３０から突出する突出部６０に収容されている。駆動部８０の動力源となるモータ８１は、軸方向すなわち高さ方向に大きな容積を有している。そのため、スキャナハウジング３０にはモータ８１を収容するための大きな空間を必要とし、スキャナハウジング３０の大型化を招く。そこで、本実施例のように、突出部６０の内部にモータ８１を収容することにより、モータ８１を設置するための容積が容易に確保される。したがって、モータ８１をはじめとする駆動部８０の構成部品を設置するために別途容積を確保する必要がなく、スキャナハウジング３０ひいては画像入出力装置１０の大型化を抑制することができる。特に、画像入出力装置１０の高さを低減することができる。
【００２２】
また、本発明の一実施例では、突出部６０は、プリンタハウジング２０の収容部５２に収容されることにより、プリンタハウジング２０とスキャナハウジング３０とを揺動可能に支持する。突出部６０は、収容部５２とともに中心がスキャナハウジング３０の回転中心と概ね一致している。そのため、プリンタハウジング２０とスキャナハウジング３０とが揺動したとき、突出部６０が収容部５２からはみ出ることはない。したがって、プリンタハウジング２０とスキャナハウジング３０との揺動時において、収容部５２の近傍における画像入出力装置１０の容積変化を低減することができる。
【００２３】
さらに、本発明の一実施例では、駆動部８０が設置された突出部６０を収容する収容部５２はキャリッジ４０の副走査方向において用紙搬送部７０と隣り合って配置されている。用紙搬送部７０は、印刷部２２に供給される印刷媒体が積載されるトレイ７１を有している。トレイ７１は、キャリッジ４０の主走査方向外側のプリンタハウジング２０に設置されている。すなわち、用紙搬送部７０の構成部品であるトレイ７１は、プリンタハウジング２０から突出している。そのため、用紙搬送部７０のトレイ７１に隣接して収容部５２および突出部６０を設置することにより、画像入出力装置１０の反操作部側のデッドスペースを有効に利用することができる。したがって、画像入出力装置１０の体格の大型化を抑制することができる。
【００２４】
以上説明した複数の実施例では、レンズ縮小型のリニアイメージセンサを備えた画像入出力装置について説明したが、密着型のリニアイメージセンサを備えた画像入出力装置に本発明を適用してもよい。また、本発明の一実施例では、突出部の内部に駆動部のモータや一部のギアが収容される構成について説明した。しかし、駆動部を構成するモータやギアなどの構成部品の形状、数量などに応じて突出部の内部に収容する構成部品を任意に変更してもよい。
【図面の簡単な説明】
【００２５】
【図１】本発明の一実施例による画像入出力装置の接続部を示す断面図。
【図２】本発明の一実施例による画像入出力装置の外観を示す斜視図。
【図３】本発明の一実施例による画像入出力装置の内部構成を示す模式図。
【図４】本発明の一実施例による画像入出力装置を示す概略図。
【図５】本発明の一実施例による画像入出力装置の接続部を示す断面図。
【符号の説明】
【００２６】
１０  画像入出力装置、２０  プリンタハウジング、２２  印刷部、３０  スキャナハウジング、４０  キャリッジ、４３  走査回路基板、５２  収容部、６０  突出部、７０  用紙搬送部（供給部）、８０  駆動部
【図１】
2005079791.tif 000003
【図２】
2005079791.tif 000004
【図３】
2005079791.tif 000005
【図４】
2005079791.tif 000006
【図５】
2005079791.tif 000007